(57)【要約】【課題】  ブロック近似符号化手段を有する画像処理装置に関し、特に、画像の２次元的位置を得やすい位置に圧縮データを配置可能な画像処理装置を提供する。【解決手段】  ブロック近似符号化により得られる圧縮データを転送する際に、画像処理装置が持つデータバスや記憶装置の帯域を有効に利用し、圧縮データを画像の２次元的位置を得やすい位置を配置することで編集を容易にする。【選択図】  図１
2010109442.tif 000002
【特許請求の範囲】
【請求項１】
ラスタデータである画像データを、M×N画素（M、Nは共に１以上の整数であり、かつMおよびNの少なくとも一方が２以上の整数）のブロックに分割する分割手段と、
ブロック近似符号化処理を行って前記ブロックの画素データから取得される色情報と前記色情報の配置に関する形状情報とに圧縮するブロック近似符号化手段と、
前記色情報と前記形状情報から画像データを復号する復号化手段と、
前記色情報と前記形状情報を記憶する第１の記憶手段と、
前記形状情報を一時記憶する第２の記憶手段と、
前記記憶手段に転送する際には、前記色情報を所定の転送量だけ転送した後に形状情報を所定の転送量だけ転送することを転送完了まで繰り返し、前記記憶手段から読出す際には、前記形状情報を所定の転送量だけ読出した後に色情報を所定の転送量だけ読出すことを転送完了まで繰り返す転送手段、
を有することを特徴とする画像処理装置。
【請求項２】
請求項１に記載の画像処理装置において、
前記色情報と前記形状情報を転送する所定の転送量を制御する制御手段と、
転送量を保持する第３の記憶手段を有し、
転送毎に前記転送量を制御可能であることを特徴とする画像処理装置。
【発明の詳細な説明】
【技術分野】
【０００１】
本発明は、ブロック近似符号化手段を有する画像処理装置に関するものである。特に、ブロック近似符号化により得られる圧縮データの転送効率を向上し、画像の２次元的位置を得やすい位置に圧縮データを配置可能な画像処理装置に関する。
【背景技術】
【０００２】
近年、画像処理装置の高解像度化が進んでおり、画像処理装置が取り扱う画像データ量の増加は著しくなってきている。画像データ量の増加により、画像データの格納や中間データの格納に用いられる主記憶装置や画像処理装置のデータバスの転送帯域がボトルネックとなり、所望の性能が達成できなくなってしまうことが画像処理装置の課題として挙げられている。
【０００３】
この課題に対しては、以下２つの解が考えられる。
【０００４】
（１）画像のデータ量を符号化などにより圧縮し減少させること
（２）画像処理装置内の記憶装置の容量やバスの転送帯域を増加させること
解（２）は、記憶装置やバスの動作周波数や処理するデータのビット幅を向上させる必要があるため画像処理装置が高コスト化してしまう。
【０００５】
解（１）を実現するためには圧縮方法としては、圧縮後のデータ量が可変である可変長圧縮では画像処理装置の性能を見積もることが難しいため、圧縮後のデータ量が固定である固定長圧縮が好適である。
【０００６】
また、画像処理装置に用いる圧縮方法としては、圧縮データのままの編集が可能であることが望ましい。固定長圧縮は、画像の２次元的位置を圧縮データから直接得ることが可能なため好適である。
【０００７】
代表的な固定長圧縮として、ブロック近似符号化が挙げられる。ブロック近似符号化とは、特許文献１のような画像データをある大きさのブロック単位に分割しブロック毎にその形状を近似する符号化方式である。
【特許文献１】特開昭５７−１７４９８４号公報
【発明の開示】
【発明が解決しようとする課題】
【０００８】
一般的に画像処理装置では内部で扱えるデータバスのビット幅や、主記憶として用いるＤＲＡＭ(Ｄｙｎａｍｉｃ Ｒａｎｄａｍ Ａｃｃｅｓｓ Ｍｅｍｏｒｙ)のデータビット幅などは一意に決まることが多い。データ転送時には、データバスやＤＲＡＭのビット幅を有効に使うことでデータ転送回数が減り転送効率が向上する。ブロック近似符号化により、ブロック内の画素データから取得される色情報と、近似した形状を表す形状情報からなる圧縮データが得られる。圧縮データの転送時に、データバスやＤＲＡＭのビット幅を有効に使えない場合、転送効率が低下してしまうという課題がある。
【０００９】
転送回数を減らし転送効率を上げるために、第１の圧縮データをデータバスやＤＲＡＭのビット幅中で無効な領域が無いように転送を行う場合、画像の２次元的位置を得やすい位置に圧縮データを配置できなくなり、圧縮データのままの編集をソフトウェアにより実現する際は、ソフトウェアの処理が煩雑になってしまう課題がある。
【００１０】
本発明では、ブロック近似符号化により得られる圧縮データを転送する際に、画像処理装置が持つデータバスやＤＲＡＭのビット幅を有効に利用し、圧縮データを画像の２次元的位置を得やすい位置を配置することで編集を容易にすることが可能な画像処理装置を実現することを目的とする。
【課題を解決するための手段】
【００１１】
上記目的を達成するための一手法として、本発明の画像処理装置は以下で構成される。
【００１２】
すなわち、
ラスタデータである画像データを、M×N画素（M、Nは共に１以上の整数であり、かつMおよびNの少なくとも一方が２以上の整数）のブロックに分割する分割手段と、
ブロック近似符号化処理を行って前記ブロックの画素データから取得される色情報と前記色情報の配置に関する形状情報とに圧縮するブロック近似符号化手段と、
前記色情報と前記形状情報から画像データを復号する復号化手段と、
前記色情報と前記形状情報を記憶する第１の記憶手段と、
前記形状情報を一時記憶する第２の記憶手段と、
前記記憶手段に転送する際には、前記色情報を所定の転送量だけ転送した後に形状情報を所定の転送量だけ転送することを転送完了まで繰り返し、前記記憶手段から読出す際には、前記形状情報を所定の転送量だけ読出した後に色情報を所定の転送量だけ読出すことを転送完了まで繰り返す転送手段、
を有することを特徴とする画像処理装置。
【００１３】
また、上記目的を達成するための別手法として、本発明の画像処理装置は以下で構成される。
【００１４】
すなわち、
前記画像処理装置で
前記色情報と前記形状情報を転送する所定の転送量を制御する制御手段と、
転送量を保持する第３の記憶手段を有し、
転送毎に前記転送量を制御可能であることを特徴とする画像処理装置。
【発明の効果】
【００１５】
ブロック近似符号化により得られる圧縮データを転送する際に、画像処理装置が持つデータバスやＤＲＡＭのビット幅を有効に利用し、圧縮データを画像の２次元的位置を得やすい位置を配置することで編集を容易にすることが可能な画像処理装置を実現することが可能になる。
【発明を実施するための最良の形態】
【００１６】
次に、本発明の詳細を実施例の記述に従って説明する。
【実施例１】
【００１７】
以下、添付図面を参照して、本発明の実施形態について詳細に説明する。
【００１８】
図１は本発明の実施形態における画像処理装置のハードウェア構成を示したブロック図である。本発明の実施形態における画像処理装置は、コピー機能、プリンタ機能、ＦＡＸ機能、スキャナ機能を具備した復号機（ＭＦＰ）を想定しており、コントローラ部１０１、表示部１０２、操作部１０３、プリンタ部１０４、スキャナ部１０５、データ通信部１０６、画像処理部１０７、メモリ部１０８、ブロック近似処理部１０９、データバス１１０から構成されている。
【００１９】
以下、各部の概略について説明する。
【００２０】
表示部１０２は、ユーザに対しての動作指示を行ったり、印字するべき画像の印字プレビューを表示したりするものであり、例えば液晶パネルなどが挙げられる。
【００２１】
操作部１０３は、ユーザが行いたい動作をキー操作にて選択させるものである。例えば液晶タッチパネルで構成され、ユーザが画像処理装置を操作するためのユーザインタフェースを提供する。
【００２２】
プリンタ部１０４は電気的な画像信号を記録紙上に可視像としてプリントするブロックであり、レーザービームプリンタやインクジェットプリンタにより構成される。
【００２３】
スキャナ部１０５は原稿画像を光学的に読み取って電気的な画像信号に変換するブロックであり、密着型イメージセンサ、読み取り駆動部、読取り点灯制御部等により構成される。読み取り駆動部によって搬送される密着型イメージセンサによって原稿全体がスキャンされる際、読み取り点灯制御部によって密着型イメージセンサ内部のＬＥＤが点灯制御され、同時に密着型イメージセンサ内部のフォトセンサが原稿画像を光学的に読み取って、電気的な画像信号に変換する。
【００２４】
データ通信部１０６は外部機器とのデータの送受を行うブロックであり、インターネット網やＬＡＮに接続したり、公衆電話回線に接続してＦＡＸ通信をおこなったり、ＵＳＢインタフェースによりＰＣ（Personal Computer）と接続する。
【００２５】
画像処理部１０７は、読み取り画像処理、通信画像処理、記録画像処理などを行うブロックである。読み取り画像処理はスキャナ部１０５から受信した画像データにシェーディング補正等を施し、ガンマ処理、２値化処理、中間調処理、そしてＲＧＢｔｏＣＭＹＫ等色変換処理を行って高精細な画像データに変換する。記録画像処理は画像データを記録解像度にあわせて解像度変換するものであり、画像の変倍、スムージング、濃度補正等の各種画像処理を施して高精細な画像データに変換しレーザビームプリンタ等に出力する。通信画像処理部は読み取った画像を通信性能に合わせて解像度変換、色変換をしたり、通信により受け取った画像を記録性能に合わせて解像度変換等をしたりする。その他、画像の回転処理や圧縮処理も行う。
【００２６】
メモリ部１０８は、例えばＤＤＲ−ＳＤＲＡＭやＨＤＤなどのメモリデバイスであり、画像データを一時的に格納するだけでなく、画像処理装置の機能を実現する為にコントローラ部が使用する制御プログラムや、データなどを格納する。
【００２７】
ブロック近似処理部１０９は、受信した画像データに対してブロック近似符号化を施し、圧縮データを生成したり、受信したブロック近似符号化により生成された圧縮データを復号化したりするブロックである。画像データ/圧縮データの送受信は、画像処理部１０７、メモリ部１０８と行う。ブロック近似処理部は画像処理部に包含される構成も考えられる。
【００２８】
コントローラ部１０１は、画像処理装置１００全体の制御をつかさどる部分である。コントローラ部１０１はプリンタ部１０４やスキャナ部１０５をはじめとする各ブロックと電気的に接続されており、高度な機能を実現する為の制御を行っている。例えば、スキャン機能を実現する為に、コントローラ部１０１はスキャナ部１０５を制御して、原稿の画像データを読み込み、プリンタ部１０４を制御して画像データを記録用紙に出力してコピー機能を提供する。また、スキャナ部１０５から読み取った画像データを、データ通信部１０６を通してネットワークへ送信するスキャナ機能や、ネットワーク等からデータ通信部１０６を介して受信したコードデータを画像データに変換し、プリンタ部１０４に出力するプリンタ機能を提供する。
【００２９】
コントローラ部１０１、表示部１０２、操作部１０３、プリンタ部１０４、スキャナ部１０５、データ通信部１０６、画像処理部１０７、メモリ部１０８、ブロック近似処理部１０９は、データバス１１０を介して接続されており、画像データやコードデータの授受を行っている。
【００３０】
図２にブロック近似処理部１０９の概略ブロック図を示す。ブロック近似処理部は以下からなる。データバス１１０を介して画像処理部１０７から画像データを受信し、画像データをM×N画素（M、Nは共に１以上の整数であり、かつMおよびNの少なくとも一方が２以上の整数）のブロックに分割する分割部２０１。分割部からブロック画像データを受信し、ブロック近似符号化処理を行い色情報と形状情報からなる圧縮データを生成し、データ転送部に圧縮データを送信するブロック近似符号化部２０２。データ転送部２０４から圧縮データを受信し復号化を行い、データバスを介して画像処理部に転送する復号化部２０３。画像データ/圧縮データの送受信をデータバスを介してメモリ部１０８と行うデータ転送部２０４。本実施例では、データ転送部に形状情報を一時的に記憶する形状情報記憶部を内包している構成としている。データ転送部は、所定の転送量ごとに色情報→形状情報の順でメモリ部へ転送を行うことと、所定の転送量ごとに形状情報→色情報の順でメモリ部から復号化部へ転送を行うことが可能である。
【００３１】
本実施形態では簡便のため、ブロックは２×２画素とする。また、画像データはＲＧＢの３コンポーネントで一画素を構成し、各コンポーネント８ｂｉｔからなる。また、転送量を色情報３８４ｂｉｔ、形状情報３２ｂｉｔとする。
【００３２】
図３は第１の実施形態における画像処理装置の動作を示すフローチャートである。第１の実施形態では、画像データがスキャナ部１０５から取り込まれてプリンタ部１０４に出力されるまでを述べる。特にブロック近似処理部の動作に関して詳しく述べる。
【００３３】
まず、スキャナ部で画像データの取り込みを行い(Ｓ１０１)、画像処理部にデータバスを介して画像データを転送する(Ｓ１０２)。次に画像処理部で読み取り画像処理を行い(Ｓ１０３)、データバス部を介してブロック近似処理部に画像データを転送する(Ｓ１０４)。次にブロック近似処理部でブロック近似符号化処理を行い、生成された圧縮データをデータバスを介してメモリ部へ転送する(Ｓ１０５)。次にメモリ部から圧縮データをブロック近似処理部へデータバスを介して転送し、ブロック近似処理部でブロック近似復号化処理を実施する(Ｓ１０６)。Ｓ１０５とＳ１０６に関しては、詳しくは後述する。次にブロック近似処理部から画像処理部へ画像データを転送し(Ｓ１０７)、記録画像処理を実施する(Ｓ１０８)。最後に、プリンタ部へデータバスを介して転送する(Ｓ１０９)。
【００３４】
Ｓ１０５について図４、図５のフローチャートを用いて説明する。フローチャートは、分割部・ブロック近似符号化部を主体としたフローチャートである図４と、データ転送部を主体としたフローチャートである図５からなる。
【００３５】
まず、図４のフローチャートについて説明する。図６は、本実施形態における画像符号化方法の説明図である。画像データが画像処理部から転送されると、分割部で２×２画素のブロック(３０１)に分割し、ブロック近似符号化部へ転送する(Ｓ２０１)。ブロック近似符号化部では、以下の処理を行い色情報と形状情報を生成する。まず、ブロック内の画素データの平均値を求め(Ｓ２０２)、その平均値以上の画素レベルのグループと、平均値未満の画素データのグループとに分け、その分割パターンを形状情報（３０２）として生成する(Ｓ２０３)。次に、２つのグループ各々の平均値を求め、色情報(３０３)とする(Ｓ２０４)。Ｓ２０２からＳ２０４により、２×２画素のブロックが２つの色情報と形状情報に変換される。本実施形態では、色情報がＲＧＢ２４ｂｉｔ×２ ＝ ４８ｂｉｔ、形状情報が４ｂｉｔである。生成した色情報と形状情報からなる圧縮データをデータ転送部に転送する(Ｓ２０５)。全てのブロックに対する処理終了の判定(Ｓ２０６)がなされ、終了していない場合、次の画像データの読出しに移行し(Ｓ２０７)、終了している場合、処理完了となる。
【００３６】
次に、図５のフローチャートについて説明する。ブロック近似符号化部から転送された圧縮データのうち、色情報のみをメモリ部に転送し(Ｓ２０８)、形状情報は形状情報記憶部に記憶する(Ｓ２０９)。所定の転送量 形状情報を記憶しているかの判定(Ｓ２１０)がなされ、終了していない場合、次の圧縮データの処理に移行し(Ｓ２１１)、終了している場合、記憶している形状情報をメモリ部へ転送する(Ｓ２１２)。次に、全ての圧縮データに対する転送終了の判定がなされ(Ｓ２１３)、終了していない場合、次の圧縮データへ処理を移行し(Ｓ２１１)、終了している場合、処理完了となる。
【００３７】
Ｓ１０６について図７、図８のフローチャートを用いて説明する。フローチャートは、データ転送部を主体としたフローチャートである図７と、復号化部を主体としたフローチャートである図８からなる。
【００３８】
まず、図７のフローチャートについて説明する。データ転送部は、メモリ部から形状情報を読出し形状情報記憶部に記憶する(Ｓ３０１)。所定の転送量 形状情報を記憶しているかの判定(Ｓ３０２)がなされ、終了していない場合、次の形状情報を読出し(Ｓ３０３)、終了している場合、記憶している形状情報を復号化部へ転送する(Ｓ３０４)。次に、色情報を所定の転送量 メモリ部から読出し、復号化部へ転送する(Ｓ３０５)。全ての圧縮データに対する読出し終了の判定(Ｓ３０６)がなされ、終了していない場合、次の形状情報を読出し(Ｓ３０３)、終了している場合、処理完了となる。
【００３９】
次に、図８のフローチャートについて説明する。データ転送部から転送された色情報と形状情報から復号化データ(３０４)を生成し(Ｓ３０７)、画像処理部に転送する(Ｓ３０８)。全てのデータの転送終了の判定(Ｓ３０９)がなされ、終了していない場合次の圧縮データへ処理を移行し(Ｓ３１０)、終了している場合、処理完了となる。
【００４０】
本発明の第一の実施形態における転送データのデータバス上の配置について詳しく述べる。６４ｂｉｔのビット幅を持つデータバスに対して、転送を行うことを考える。図９−１に本実施形態での転送データの配置を示す。図９−２に色情報と形状情報を交互に転送した場合の配置を、図９−３にソフトウェアによる画像データ編集を考え６４ｂｉｔに合わせて無効領域を付加した場合の配置を示す。図９−１、図９−２では、色情報３８４ｂｉｔ、形状情報３２ｂｉｔのデータを転送するのに、６４ｂｉｔ×７回転送を行う必要がある。図９−３の例では、６４ｂｉｔ×８回転送を行う必要がある。一方、ソフトウェアによるアクセスであるが、図９−３の例ではブロック単位(２×２画素単位)の画像データ編集が可能である。図９−２では、ブロック単位の画像データ編集を行うためには、ソフトウェアによる煩雑なアドレス計算をする必要がある。図９−１では、ブロック単位での画像データ編集には煩雑なアドレス計算が必要であるが、転送量単位(本実施例では１６×１６画素単位)の画像データ編集をする際には煩雑なアドレス計算が不要である。
【００４１】
以上の処理により、色情報を所定の転送量だけ転送した後に形状情報を転送することが可能になる。
【実施例２】
【００４２】
本発明の第２の実施形態における画像処理装置のハードウェア構成は図１と同一である。ただし、コントローラ部にブロック近似処理部の転送量を制御する転送量制御部を内包している構成としている。もちろん、コントローラ部と転送量制御部が別個に存在する構成でも実現可能である。
【００４３】
図１０は本発明の第２の実施形態におけるブロック近似処理部の概略ブロック図である。転送量記憶部２０５はコントローラ部１０１からデータバス１１０を介して受信した転送量情報を記憶する。
【００４４】
図１１は第２の実施形態における画像処理装置の動作を示すフローチャートである。第２の実施形態では、画像データがデータ通信部１０６から取り込まれてプリンタ部１０４に出力されるまでを述べる。特にブロック近似処理部の動作に関して詳しく述べる。
【００４５】
まず、データ通信部で画像データの受信を行い(Ｓ４０１)、画像処理部にデータバスを介して画像データを転送する(Ｓ４０２)。画像処理部で通信画像処理を行い(Ｓ４０３)、データバス部を介してブロック近似処理部に画像データを転送する(Ｓ４０４)。次に、コントローラ部からブロック近似処理部内の転送量記憶部に対して転送量の書き込みを行う(Ｓ４０５)。ブロック近似処理部でブロック近似符号化処理を行い、生成された圧縮データをデータバスを介してメモリ部へ転送する(Ｓ４０６)。次にメモリ部から圧縮データをブロック近似処理部へデータバスを介して転送し、ブロック近似処理部でブロック近似復号化処理を実施する(Ｓ４０７)。次にブロック近似処理部からデータバスを介して画像処理部へ画像データを転送し(Ｓ４０８)、回転処理を実施する(Ｓ４０９)。画像データをデータバスを介してブロック近似処理部へ転送する(Ｓ４１０)。次に、コントローラ部からブロック近似処理部内の転送量記憶部に対して転送量の書き込みを行う(Ｓ４１１)。ブロック近似符号化処理を行い生成された圧縮データをデータバスを介してメモリ部へ転送する(Ｓ４１２)。次にメモリ部から圧縮データをブロック近似処理部へデータバスを介して転送し、ブロック近似処理部でブロック近似復号化処理を実施する(Ｓ４１３)。次にブロック近似処理部からデータバスを介して画像処理部へ画像データを転送し(Ｓ４１４)、記録画像処理を実施する(Ｓ４１５)。最後に、プリンタ部へデータバスを介して転送する(Ｓ４１６)。本実施形態における転送量は、Ｓ４０６・Ｓ４０７では色情報３８４ｂｉｔ、形状情報３２ｂｉｔとし、Ｓ４１２・Ｓ４１３では色情報４８ｂｉｔ、形状情報４ｂｉｔとする。
【００４６】
Ｓ４０６、４１２について図１２のフローチャートを用いて説明する。フローチャートは、データ転送部を主体としたフローチャートである。分割部・ブロック近似符号化部を主体としたフローチャートは図４と同一であるため、説明は割愛する。
【００４７】
図１２のフローチャートについて説明する。まず、転送量記憶部から転送量を読出し(Ｓ５０１)、ブロック近似符号化部から転送された圧縮データのうち、色情報のみをメモリ部に転送し(Ｓ５０２)、形状情報は形状情報記憶部に記憶する(Ｓ５０３)。所定の転送量 形状情報を記憶しているかの判定(Ｓ５０４)がなされ、終了していない場合、次の圧縮データの処理に移行し(Ｓ５０５)、終了している場合、記憶している形状情報をメモリ部へ転送する(Ｓ５０６)。次に、全ての圧縮データに対する転送終了の判定がなされ(Ｓ５０７)、終了していない場合、次の圧縮データへ処理を移行し(Ｓ５０５)、終了している場合、処理完了となる。
【００４８】
本発明の第２の実施形態における転送データのデータバス上の配置について述べる。６４ｂｉｔのビット幅を持つデータバス・ＤＲＡＭに対して、転送を行うことを考えている。Ｓ４０５では図９−１と同一になる。Ｓ４０６では図９−３と同一になる。転送量を本実施形態のように制御することにより、Ｓ４０６では形状情報の転送シーケンスが簡便になる。
【００４９】
Ｓ４０７、Ｓ４１３について図１３のフローチャートを用いて説明する。フローチャートは、データ転送部を主体としたフローチャートである。復号化部を主体としたフローチャートは図８と同一であるため、説明を割愛する。
【００５０】
図１３のフローチャートについて説明する。まず、転送量記憶部から転送量を読出し(Ｓ６０１)、メモリ部から形状情報を読出し形状情報記憶部に記憶する(Ｓ６０２)。所定の転送量 形状情報を記憶しているかの判定(Ｓ６０３)がなされ、終了していない場合、次の形状情報を読出し(Ｓ６０４)、終了している場合、記憶している形状情報を復号化部へ転送する(Ｓ６０５)。次に、色情報を所定の転送量 メモリ部から読出し、復号化部へ転送する(Ｓ６０６)。全ての圧縮データに対する読出し終了の判定(Ｓ６０７)がなされ、終了していない場合、次の形状情報を読出し(Ｓ６０４)、終了している場合、処理完了となる。
【００５１】
以上の処理により、転送毎に圧縮データの転送量を制御することが可能になる。
【図面の簡単な説明】
【００５２】
【図１】本発明の実施形態における画像処理装置のハードウェア構成を示したブロック図。
【図２】本発明の第１の実施形態における画像処理装置におけるブロック近似処理部の概略ブロック図。
【図３】本発明の第１の実施形態における画像処理装置の動作を示すフローチャート。
【図４】本発明の実施形態におけるブロック近似符号処理部のブロック近似符号化時の動作を示すフローチャート１。
【図５】本発明の第１の実施形態におけるブロック近似符号処理部のブロック近似符号化時の動作を示すフローチャート２。
【図６】本発明の実施形態におけるブロック近似符号化処理の概念図。
【図７】本発明の実施形態におけるブロック近似符号処理部の復号化時の動作を示すフローチャート１。
【図８】本発明の第１の実施形態におけるブロック近似符号処理部の復号化時の動作を示すフローチャート２。
【図９】本発明の実施形態における圧縮データの配置の概念図。
【図１０】本発明の第２の実施形態における画像処理装置におけるブロック近似処理部の概略ブロック図。
【図１１】本発明の第２の実施形態における画像処理装置の動作を示すフローチャート。
【図１２】本発明の第２の実施形態におけるブロック近似符号処理部のブロック近似符号化時の動作を示すフローチャート。
【図１３】本発明の第２の実施形態におけるブロック近似符号処理部の復号化時の動作を示すフローチャート。
【図１】
2010109442.tif 000003
【図２】
2010109442.tif 000004
【図３】
2010109442.tif 000005
【図４】
2010109442.tif 000006
【図５】
2010109442.tif 000007
【図６】
2010109442.tif 000008
【図７】
2010109442.tif 000009
【図８】
2010109442.tif 000010
【図９】
2010109442.tif 000011
【図１０】
2010109442.tif 000012
【図１１】
2010109442.tif 000013
【図１２】
2010109442.tif 000014
【図１３】
2010109442.tif 000015